(57)【要約】【課題】画質の劣化を軽減した画像形成装置および画像形成方法の提供。【解決手段】第１の方向にｎ（ｎ≧１の整数）の発光素子スポットで形成される第１の画素と、前記第１の方向にｍ（ｎ≠ｍの整数）の発光素子スポットで形成される第２の画素とを有するスクリーンデータで、元画像に対してスクリーン処理する。１７ｂは、このようにしてスクリーン処理された出力画像１７ｂを示しており、ＭＬＡの連結部でドットサイズが増大した部分の１７ｘ（破線部）を視覚では感じにくくして、画質劣化を防止する。【選択図】  図１
2010089454.tif 000002
【特許請求の範囲】
【請求項１】
画像データが入力される画像データ入力部と、
潜像担持体と、
第１の方向に配設される発光素子と、前記発光素子からの光を前記潜像担持体に結像させる結像光学系と、を有する露光ヘッドと、
第１の方向にｎ（ｎ≧１の整数）の発光素子スポットで形成される第１のスクリーン画素と、前記第１の方向にｍ（ｎ≠ｍの整数）の発光素子スポットで形成される第２のスクリーン画素とを有するスクリーンテーブルで前記画像データをスクリーン処理する画像処理部と、
を有することを特徴とする画像形成装置。
【請求項２】
前記ｍは、ｎ＋１である請求項１に記載の画像形成装置。
【請求項３】
前記スクリーンテーブルは、前記第１の方向と前記第１の方向と直交する第２の方向に前記第１のスクリーン画素と前記第２のスクリーン画素とを分散した請求項１または請求項２に記載の画像形成装置。
【請求項４】
前記結像光学系は、光学倍率がマイナスであり、レンズアレイの前記第１の方向に前記結像光学系が配設される請求項１ないし請求項３のいずれか１項に記載の画像形成装置。
【請求項５】
前記レンズアレイは前記第１の方向に配設される請求項４に記載の画像形成装置。
【請求項６】
前記スクリーンテーブルによるスクリーン処理は、前記潜像担持体に形成される画像の前記第２の方向の筋による画質劣化を補正する請求項１ないし５のいずれか１項に記載の画像形成装置。
【請求項７】
前記スクリーンデーブルは、非確率ディザで形成される請求項１ないし請求項６のいずれか１項に記載の画像形成装置。
【請求項８】
光学倍率がマイナスの結像光学系と、前記結像光学系で結像される第１の方向に配設された発光素子とを備える露光ヘッドを有し、
前記第１の方向にｎ（ｎ≧１の整数）の発光素子スポットで形成される第１のスクリーン画素と、前記第１の方向にｍ（ｎ≠ｍの整数）の発光素子スポットで形成される第２のスクリーン画素とで形成されるスクリーンテーブルを用いて、入力された画像データをスクリーン処理し、
スクリーン処理されたデータを前記露光ヘッドにより潜像担持体に潜像を形成し、
形成された前記潜像を現像部で現像することを特徴とする画像形成方法。
【発明の詳細な説明】
【技術分野】
【０００１】
本発明は、スクリーンデータを使用する際の画質劣化を軽減する構成とした画像形成装置および画像形成方法に関するものである。
【背景技術】
【０００２】
電子写真方式の画像形成装置においては、２以上の発光素子と、当該発光素子からの光を結像する結像光学系を配した露光ヘッドを用いて像担持体（感光体）に潜像を形成する構成のものが知られている。この結像光学系として、光学倍率がマイナスのレンズ（ＭＬ）を用いる技術が開発されている。特許文献１には、結像光学系として前記レンズを用いたラインヘッドとこのラインヘッドを用いた画像形成装置が記載されている。
【０００３】
【特許文献１】特開２００８-０４９６９２号公報
【発明の開示】
【発明が解決しようとする課題】
【０００４】
レンズアレイ（ＭＬＡ）を用いた画像形成装置においては、スクリーンデータによりスクリーン処理がなされる場合がある。また、感光体の軸方向に１ラインを表すドット数が増えると、長いＭＬＡヘッドが必要となる。この場合には、一定の長さの２以上のＭＬＡを連結させる事で、長いＭＬＡヘッドを形成することが可能である。ＭＬＡ同士を連結させる場合に、ＭＬＡ同士の連結部のピッチ間のバラツキや、レジストずれにより画質が劣化する。特許文献１には、このような場合の対処については記載されていないという問題があった。
【０００５】
本発明は従来技術のこのような問題点に鑑みてなされたものであり、その目的は、スクリーンデータを使用する際の画質の劣化を軽減した画像形成装置および画像形成方法を提供することにある。
【課題を解決するための手段】
【０００６】
上記目的を達成する本発明の画像形成装置は、
画像データが入力される画像データ入力部と、
潜像担持体と、
第１の方向に配設される発光素子と、
前記発光素子からの光を前記潜像担持体に結像させる結像光学系と、を有する露光ヘッドと、
第１の方向にｎ（ｎ≧１の整数）の発光素子スポットで形成される第１のスクリーン画素と、前記第１の方向にｍ（ｎ≠ｍの整数）の発光素子スポットで形成される第２のスクリーン画素とを有するスクリーンテーブルで前記画像データをスクリーン処理する画像処理部と、
を有することを特徴とする。
【０００７】
また、本発明の画像形成装置は、前記ｍは、ｎ＋１である。
【０００８】
また、本発明の画像形成装置は、前記スクリーンテーブルは、前記第１の方向と前記第１の方向と直交する第２の方向に前記第１のスクリーン画素と前記第２のスクリーン画素とを分散している。
【０００９】
また、本発明の画像形成装置は、前記結像光学系は、光学倍率がマイナスであり、レン
ズアレイの前記第１の方向に前記結像光学系が配設される。
【００１０】
また、本発明の画像形成装置は、前記レンズアレイは前記第１の方向に配設される。
【００１１】
また、本発明の画像形成装置は、前記スクリーンテーブルによるスクリーン処理は、前記潜像担持体に形成される画像の前記第２の方向の筋による画質劣化を補正する。
【００１２】
また、本発明の画像形成装置は、前記スクリーンデーブルは、非確率ディザで形成される。
【００１３】
本発明の画像形成方法は、光学倍率がマイナスの結像光学系と、前記結像光学系で結像される第１の方向に配設された発光素子とを備える露光ヘッドを有し、
前記第１の方向にｎ（ｎ≧１の整数）の発光素子スポットで形成される第１のスクリーン画素と、前記第１の方向にｍ（ｎ≠ｍの整数）の発光素子スポットで形成される第２のスクリーン画素とで形成されるスクリーンテーブルを用いて、入力された画像データをスクリーン処理し、
スクリーン処理されたデータで前記露光ヘッドにより潜像担持体に潜像を形成し、
形成された前記潜像を現像部で現像することを特徴とする。
【発明を実施するための最良の形態】
【００１４】
本発明の実施形態につき、図により説明する。図１１〜図１８は、本発明の前提技術を示す説明図である。図１８は、光学倍率がマイナスのレンズ（ＭＬ）と、発光素子（ドット）との配置関係を示している。図１８において、ＭＬ４には、感光体の軸方向（Ｘ方向）と感光体の回動方向（Ｙ方向）に２以上の発光素子２が配されており、これらの発光素子により感光体には潜像が形成される。なお、本発明の実施形態においては、Ｘ方向を第１の方向、Ｙ方向を第２の方向、と記載することがある。発光素子２には、便宜上「１〜Ｎ」の番号を付している。Ｙ方向の図示１行目の発光素子行により、Ｘ方向の図示左側から右側に「２、４、・・・Ｎ」のドット行３ａが形成されている。以下、Ｙ方向に２以上配された発光素子行により、ドット行３ｂ、３ｃ、３ｄが形成されている。Ｙ方向の図示４行目の発光素子行により「１、３・・・・」のドット行３ｄが形成されている。
【００１５】
ここで、レンズ（ＭＬ）４は、Ｘ方向に２以上配されてレンズアレイ（ＭＬＡ）を構成する。また、レンズ（ＭＬ）をＸ方向とＹ方向に２以上配してレンズアレイ（ＭＬＡ）を構成することができる。ここで、ドット「２、Ｎ」は、レンズ（ＭＬ）のＸ方向とは逆方向と、Ｘ方向端部のドットである。
【００１６】
図１１は、レンズアレイ（ＭＬＡ）を用いた露光ヘッドの説明図である。図１１（ａ）はＭＬＡヘッドの概略の全体構成を示しており、また、図１１（ｂ）は図１１（ａ）の一部を模式化して示している。図１１（ａ）は、長いＭＬＡヘッド（露光ヘッド）１０を示しており、５ｎは長いＭＬＡヘッドの一部のＭＬＡである。図１１（ｂ）は、ＭＬＡの５ｎを拡大して示す図である。
【００１７】
図１１（ｂ）において、露光ヘッドは、基板１に２以上の発光素子２を配している。３は、１つのレンズ４ａに配される２以上の発光素子からなる発光素子グループである。発光素子グループ３は、発光素子を感光体の軸方向Ｘと感光体の回動方向Ｙに２以上配している。４はレンズ（ＭＬ）で、感光体の軸方向（主走査方向）Ｘと、感光体の回動方向（副走査方向）Ｙに２以上配されて、レンズアレイ（ＭＬＡ）５ｎを構成している。
【００１８】
レンズ４ａのＬは、１つのレンズ内の、Ｘ方向に配された発光素子の１行の幅、ｄｐは発光素子（ドット）間隔、ＰはＹ方向で隣接するレンズ４ａとレンズ４ｂとの、それぞれ
Ｘ方向の先頭ドット間の距離を示している。
【００１９】
図１２は、連結されるＭＬＡ間のピッチと画素との関係を示す説明図である。図１２（ａ）は連結されるＭＬＡ間のピッチが狭い場合を示している。ＭＬＡ５ｎのＸ方向端部におけるレンズＡの画素の網目部は冗長ドットを示している。また、ＭＬＡ５ｎ＋１のＸ方向端部におけるレンズＢの画素の斜線部は冗長ドットを示している。ＭＬＡ５ｎの画素とＭＬＡ５ｎ＋１の画素は一点鎖線で結ばれて感光体に１つの直線として形成される。この場合には、画素ピッチＰａは狭くなっており、冗長ドット数は４個である。
【００２０】
図１２（ｂ）は、ＭＬＡ間のドットが広い場合を示している。この場合には、画素ピッチＰｂが狭くなり、冗長ドット数は図１２（ａ）より１個増加して５個である。この場合には、ＭＬＡによる印刷結果は、ＭＬＡヘッドにより形成される１ライン中のドット数が増加するので、ＭＬＡヘッドにより形成される１ラインと垂直な方向（場合によっては、印刷用紙の搬送方向）にすじが現れる。このすじは、規則正しいドット配置の中に発生した場合、その規則性が崩れる事によって、視認性が高くなる。すなわち、画質が劣化する。
【００２１】
図１３は、スクリーン角度１５度のＡＭスクリーンを用いた場合の出力画像の例を示す説明図である。図１３（ａ）は、図１２（ａ）に対応し、１ドット追加前の出力画像１４ａを示している。また、図１３（ｂ）は、図１２（ｂ）に対応し、１ドット追加後の出力画像１４ｂを示している。出力画像１４ｂには、矢印で示した前記ドット数が増加した部分１４ｘ、１４ｙ、１４ｚ、１４ｗが形成されている。
【００２２】
図１４は、スクリーン角度７５度のＡＭスクリーンを用いた場合の出力画像の例を示す説明図である。図１４（ａ）は、図１２（ａ）に対応し、１ドット追加前の出力画像１５ａを示している。また、図１４（ｂ）は、図１２（ｂ）に対応し、１ドット追加後の出力画像１５ｂを示している。出力画像１５ｂには、矢印で示した前記ドット数が増加した部分１５ｘ、１５ｙ、１５ｚが形成されている。図１３、図１４に示されているように、スクリーン処理した出力画像はスクリーンの角度、線数に依存した周期的な濃度むらが生じている。
【００２３】
本発明の実施形態においては、ＭＬＡ同士の連結部のピッチ間のバラツキや、レジストずれにより、物理的なドットが増加する場合に画質劣化を軽減するスクリーンテーブル（スクリーンデータ）を使用する。本発明の実施形態における特徴は、以下に説明するようなスクリーン処理により、出力画像の冗長ドットの発生を視覚的に見えにくくし、画質劣化を軽減する点にある。スクリーンドット（スクリーンにより形成されるドットの集まり）に主走査方向のサイズが異なるドットを使用する。スクリーンドットの主走査方向のサイズは、基本ドットの主走査方向のサイズｎと、冗長ドットの増加により発生する主走査方向のサイズｍ・ｉ（ｉ＞０、ｍは複数の場合も有る）とする。前記ｎとｍそれぞれのスクリーンドットを分散させて印刷画像の階調を形成する。
【００２４】
図１５は、本発明の実施形態におけるスクリーンドット形成の基本的構成を示す説明図である。図１５（ａ）は、２×２（画素）を基本ドット形状とする
スクリーンドット１３ａを示している。ここで、スクリーンドット１３ａは、Ｘ方向（第１の方向）にｎの発光素子スポットで形成される第１の画素に相当する。次に、図１５（ｂ）は、１ドットの増加により、発生する可能性のあるドット形状（矢印の位置）のスクリーンドット１３ｂを示している。図１５（ｃ）は、Ｘ方向に冗長ドットが形成されるスクリーンドット１３ｃを示している。スクリーンドット１３ｃは、第１の方向にｍの発光素子スポットで形成される第２の画素に相当する。
【００２５】
図１６は、スクリーンデータを用いた場合の出力画像を示す説明図である。図１６においては、前記図１５（ａ）で説明した２×２（画素）を基本ドット形状とするスクリーンデータを用いた場合に形成される、出力画像１６ａが示されている。図１６は、MLAのド
ットにピッチずれがない場合であり、印刷結果は意図したスクリーン形状で出力される。
【００２６】
図１７は、スクリーンデータのドットサイズが一定で１ドット増加した場合の出力画像１６ｂを示す説明図である。ＭＬＡのドットのピッチずれにより、冗長ドットが１ドット増加すると、図１７に示すように、増加した列１６ｘのドット形状が変化してしまい、意図した出力結果を得る事が出来ない。ＭＬＡのドット数が１ドット増加するという事は、ＭＬＡヘッドが作る１ライン中のドット数が１ドット増える事を意味する。ドットの増加により、局所的にドットサイズが大きくなり、破線の部分が縦筋として視認される。このため、出力画像の画質が劣化する。
【００２７】
本発明の実施形態では、ＦＭスクリーンを使用し、ドット形状を工夫して、前記縦筋による画質の劣化を軽減している。図１〜図８は、本発明の実施形態を示す説明図である。図２（ａ）は、２×２（画素）をＦＭスクリーンの基本ドット形状１３ａとした例を示している。また、図２（ｂ）は、ＭＬＡ上のドットが1ドット増加する事により、発生する
可能性のあるスクリーンドット形状１３ｃを示している。
【００２８】
図３は、前記図２（ａ）と図２（ｂ）のドット形状を有するスクリーンデータによる出力画像１７ａを示している。図３の例では、スクリーンデータに違うドット形状の１３ａと１３ｃとを分散して配置することにより、出力画像１７ａの階調を表現している。ここでは、ドット形状が１３ｃである画素は、１７ｐ，１７ｑ、１７ｒ、１７ｓの位置に分散して、出力画像１７ａに配されている。
【００２９】
図１は、ＭＬＡ連結部のドットのピッチずれにより、冗長ドットが１ドット増加した場合の出力画像１７ｂを示している。スクリーンデータに、Ｘ方向に１ドット増加した場合に発生する可能性のあるドット形状１７ｐ〜１７ｓを分散して配置したことにより、ドットサイズが増大した部分の１７ｘを視覚では感じにくくしている。すなわち、破線部分の縦筋を目立たなくして、出力画像の画質劣化を軽減している。
【００３０】
図４は、スクリーンデータとして冗長ドットが追加されない状態の出力画像１８ａを示す説明図である。図５は、スクリーンデータとして冗長ドットを追加した状態の出力画像１８ｂを示す説明図である。図５に示すように、１ドット追加後の出力画像１８ｂには、矢印で示した位置に、ドット数が増加した部分１８ｘ、１８ｙが形成されている。
【００３１】
図６、図７は、スクリーンテーブル（スクリーンデータ）１９の例を示す説明図である。このスクリーンテーブルは、非確率的ディザのデータを示している。図中の枠内のドットは、元画像の階調値が１から９０のドットについて、ドットをオンする事を示している。図７は、図６のスクリーンテーブル１９を一部拡大した部分１９ａを示している。図８は、元画像の階調値が１から９０の場合に、図６のスクリーンテーブル１９により処理した出力画像１８ｃを示している。
【００３２】
図９は、本発明の実施形態を示すブロック図である。図９において、３０は画像形成装置（プリンタ）で、メインコントローラ（ＭＣ）３１、エンジンコントローラ（ＥＣ）３３、ヘッドコントローラ（ＨＣ）３４、エンジン部（ＥＧ）３６を有している。また、図示を省略した外部ＰＣなどのプリントサーバから、メインコントローラ（ＭＣ）３１へ画像形成指令を出力する。
【００３３】
メインコントローラ（ＭＣ）３１には、ＭＬＡの冗長ドットなどの固体情報を記憶する
メモリ３２ａ、色変換モジュール３９ａ、色変換モジュール用のテーブルデータを有するテーブルメモリ３９ｂが設けられている。また、スクリーン処理モジュール３９ｃ、スクリーン処理モジュール用のテーブルデータを有するテーブルメモリ３９ｄ、印刷画像データを格納するページメモリ３９ｅが設けられている。なお、メモリ３２ａには、エンジンコントローラ（ＥＣ）３３、ヘッドコントローラ（ＨＣ）３４からのデータも格納している。
【００３４】
ヘッドコントローラ（ＨＣ）３４には、ヘッド制御モジュール３５が設けられている。ヘッド制御モジュール３５は、Ｃ、Ｍ、Ｙ、Ｋの４色のＭＬＡヘッド３７Ｃ、３７Ｍ、３７Ｙ、３７Ｋに対して印刷データを送信する。エンジンコントローラ（ＥＣ）３３は、ヘッド制御モジュール３５とエンジン部（ＥＧ）３６を制御する。エンジン部（ＥＧ）３６には、画像をスキャンして濃度測定を行う画像スキャン、濃度測定部３６ａが設けられている。
【００３５】
図９においては、メインコントローラ（ＭＣ）３１から、エンジンコントローラ（ＥＣ）３３へ印刷指示を送信すると共に、メインコントローラ（ＭＣ）３１にて、印刷パターンを作成し、ページメモリ３９ｅに格納したデータ（Ｖ）をヘッドコントローラ（ＨＣ）３４へ送信する。エンジンコントローラ（ＥＣ）３３は、エンジン部（ＥＧ）３６による印刷をコントロールし、ヘッドコントローラ（ＨＣ）３４は、ＭＬＡヘッド３７Ｃ〜３７Ｋへ印刷データを送信する。印刷後、エンジン部３６にて画像をスキャンしたデータ、および、画像の濃度測定を行なった結果をメインコントローラ（ＭＣ）３１へ通知する。画像のスキャン、画像の濃度測定は、画像形成部３０の別装置、例えばヘッドコントローラ（ＨＣ）３４で行う構成としても良い。
【００３６】
メインコントローラ（ＭＣ）３１は、受信したスキャンデータ、及び、濃度測定データにより、意図した印刷結果となっているかを判断し、画像処理部３０へのフィードバック制御を行なう。画像処理部３０へのフィードバックは、色変換テーブル、または、色変換用パラメータ値の変更、スクリーンテーブル、または、スクリーン処理用パラメータ値を変更するものである。
【００３７】
感光体に形成される印刷画像で、感光体の回動方向に１行目〜４行目の４行の画像が印刷されているものとする。この場合には、１行毎にＭＬＡを点灯させた印刷画像をスキャンする印刷画像の濃度分布を測定し、印刷画像のドット位置を測定する。次に、前記印刷画像のドット位置の測定結果をスクリーンテーブルに反映する。この処理には、色変換用パラメータ値の変更、スクリーンテーブル、または、スクリーン処理用パラメータ値の変更が含まれる。
【００３８】
以上の処理をＭＬＡの行数繰り返す。このような機能を持つ装置により、スクリーンテーブルを作成する。この際に、図１で説明したように、
第１の方向にｎ（ｎ≧１の整数）の発光素子スポットで形成される第１の画素と、前記第１の方向にｍ（ｎ≠ｍの整数）の発光素子スポットで形成される第２の画素とを有するスクリーンデータを形成する。また、スクリーンが、誤差拡散の場合ドット位置情報と濃度分布情報により、ピッチずれによる濃度差が現れる場所が分かるので、誤差配分の分配率を変更し、印刷結果が他の場所と均一になる様に処理することができる。
【００３９】
図９の構成では、メインコントローラ（ＭＣ）３１に、各色に対応したＭＬＡの冗長ドットなどの固体情報を記憶するメモリ３２ａを設けている。このようなＭＬＡの固体情報を記憶するメモリ３２ａは、すべての露光ヘッドに設けられている。
【００４０】
本発明の実施形態においては、４つの感光体に４つのラインヘッドで露光し、４色の画
像を同時に形成し、１つの無端状中間転写ベルト（中間転写媒体）に転写する、タンデム式カラープリンター（画像形成装置）に用いるラインヘッドを対象としている。図１０は、発光素子として有機ＥＬ素子を用いたタンデム式画像形成装置の一例を示す縦断側面図である。この画像形成装置は、同様な構成の４個のラインヘッド１０１Ｋ、１０１Ｃ、１０１Ｍ、１０１Ｙを、対応する同様な構成である４個の感光体（像担持体）４１Ｋ、４１Ｃ、４１Ｍ、４１Ｙの露光位置にそれぞれ配置したものである。
【００４１】
図１０に示すように、この画像形成装置は、駆動ローラ５１、従動ローラ５２、テンションローラ５３が設けられており、テンションローラ５３により図示矢印方向（反時計方向）へ循環駆動される中間転写ベルト５０を備えている。この中間転写ベルト５０に対して、所定間隔で感光体４１Ｋ、４１Ｃ、４１Ｍ、４１Ｙが配置される。前記符号の後に付加されたＫ、Ｃ、Ｍ、Ｙはそれぞれ黒、シアン、マゼンタ、イエローを意味している。感光体４１Ｋ〜４１Ｙは、中間転写ベルト５０の駆動と同期して図示矢印方向（時計方向）へ回転駆動される。各感光体４１（Ｋ、Ｃ、Ｍ、Ｙ）の周囲には、帯電手段４２（Ｋ、Ｃ、Ｍ、Ｙ）と、露光ヘッド１０１（Ｋ、Ｃ、Ｍ、Ｙ）が設けられている。
【００４２】
また、露光ヘッド１０１（Ｋ、Ｃ、Ｍ、Ｙ）で形成された静電潜像に現像剤であるトナーを付与して可視像とする現像装置４４（Ｋ、Ｃ、Ｍ、Ｙ）と、一次転写ローラ４５（Ｋ、Ｃ、Ｍ、Ｙ）と、クリーニング装置４６（Ｋ、Ｃ、Ｍ、Ｙ）とを有している。各ラインヘッド１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【００４３】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００４４】
６３は多数枚の記録媒体Ｐが積層保持されている給紙カセット、６４は給紙カセット６３から記録媒体Ｐを一枚ずつ給送するピックアップローラ、６７は二次転写ローラ６６の二次転写部への記録媒体Ｐの供給タイミングを規定するゲートローラ対、６６は中間転写ベルト５０との間で二次転写部を形成する二次転写手段としての二次転写ローラ、６９は二次転写後に中間転写ベルト５０の表面に残留しているトナーを除去するクリーニングブレードである。
【００４５】
以上、本発明の画質の劣化を軽減した画像形成装置および画像形成方法をその原理と実施例に基づいて説明してきたが、本発明はこれら実施例に限定されず種々の変形が可能である。
【図面の簡単な説明】
【００４６】
【図１】本発明の実施形態を示す説明図である。
【図２】本発明の実施形態を示す説明図である。
【図３】本発明の前提技術を示す説明図である。
【図４】本発明の前提技術を示す説明図である。
【図５】本発明の前提技術を示す説明図である。
【図６】本発明の前提技術を示す説明図である。
【図７】本発明の実施形態を示す説明図である。
【図８】本発明の実施形態を示す説明図である。
【図９】本発明の実施形態を示すブロック図である。
【図１０】本発明の電子写真プロセスを用いた画像形成装置の１実施例の全体構成を示す模式的断面図である。
【図１１】本発明の前提技術を示す説明図である。
【図１２】本発明の前提技術を示す説明図である。
【図１３】本発明の前提技術を示す説明図である。
【図１４】本発明の前提技術を示す説明図である。
【図１５】本発明の前提技術を示す説明図である。
【図１６】本発明の前提技術を示す説明図である。
【図１７】本発明の前提技術を示す説明図である。
【図１８】本発明の前提技術を示す説明図である。
【符号の説明】
【００４７】
１・・・基板、２・・・発光素子、３・・・発光素子グループ（スポットグループ）、４・・・マイクロレンズ（ＭＬ）、５ｎ・・・マイクロレンズアレイ（ＭＬＡ）、６・・・スポット、１１、１９・・・スクリーンテーブル（スクリーンデータ）、１３ａ・・・スクリーンドットの基本形状、１３ｃ・・・冗長ドットにより発生する可能性があるドット形状、１７ａ、１７ｂ、１８ａ〜１８ｃ・・・出力画像、２０・・・ホストコンピュータ（ＰＣ）、２２・・・ＭＬＡの固体情報を記憶するメモリ、２３・・・プリンタドライバ（画像処理部）、２４・・・色変換モジュール、２５・・・スクリーン処理モジュール、２６・・・ページメモリ、３０・・・画像形成部（プリンタ）、３１・・・メインコントローラ（ＭＣ）、３３・・・エンジンコントローラ（ＥＣ）、３４・・・ヘッドコントローラ（ＨＣ）、３５・・・ヘッド制御モジュール、３６・・・エンジン部（ＥＧ）、３７Ｃ、３７Ｍ、３７Ｙ、３７Ｋ・・・ＭＬＡヘッド、３８Ｃ、３８Ｍ、３８Ｙ、３８Ｋ・・・ＭＬＡヘッドに設けたメモリ、４１（Ｙ、Ｍ、Ｃ、Ｋ）・・・感光体、５０・・・中間転写媒体、１０１（Ｙ、Ｍ、Ｃ、Ｋ）・・・露光ヘッド、Ｐ・・・記録媒体、Ｙ、Ｍ、Ｃ、Ｋ・・・画像形成ステーション
【図１】
2010089454.tif 000003
【図２】
2010089454.tif 000004
【図３】
2010089454.tif 000005
【図４】
2010089454.tif 000006
【図５】
2010089454.tif 000007
【図６】
2010089454.tif 000008
【図７】
2010089454.tif 000009
【図８】
2010089454.tif 000010
【図９】
2010089454.tif 000011
【図１０】
2010089454.tif 000012
【図１１】
2010089454.tif 000013
【図１２】
2010089454.tif 000014
【図１３】
2010089454.tif 000015
【図１４】
2010089454.tif 000016
【図１５】
2010089454.tif 000017
【図１６】
2010089454.tif 000018
【図１７】
2010089454.tif 000019
【図１８】
2010089454.tif 000020